(57)【要約】      （修正有）【課題】袋体内で区画シール部を容易に剥離させて内容物を移動させること。【解決手段】袋体１は一対の基材フィルム８、８と、基材フィルム８、８間に介在された区画シール部３を形成する易剥離性フィルム９とを備えている。易剥離性フィルム９はＶ字状に折畳まれて山折り線９Ａを形成する。【選択図】図３
2018154379.tif 000002
【特許請求の範囲】
【請求項１】
袋体において、
内面に強シール層を有し、互いに重ね合わされた一対の基材フィルムと、
前記一対の基材フィルム間に介在され、一方の面に弱シール層を有し、他方の面に強シール層を有し、前記袋体内に区画室を形成する易剥離性フィルムとを備え、
前記易剥離性フィルムはＶ字状に折畳まれて山折り線を形成することを特徴とする袋体。
【請求項２】
前記Ｖ字状に折畳まれた易剥離性フィルムは外面の弱シール層と、内面側の強シール層とを有することを特徴とする請求項１記載の袋体。
【請求項３】
前記易剥離性フィルムは前記袋体内に加圧室と非加圧室を形成し、前記易剥離性フィルムの前記山折り線は前記加圧室側を向くことを特徴とする請求項２記載の袋体。
【請求項４】
前記Ｖ字状に折畳まれた易剥離性フィルムは内面側の弱シール層と、外面側の強シール層とを有することを特徴とする請求項１記載の袋体。
【請求項５】
前記易剥離性フィルムは前記袋体内に加圧室と非加圧室を形成し、前記易剥離性フィルムの前記山折り線は前記加圧室側を向き、かつ非加圧室の前記易剥離性フィルムに開孔が形成されていることを特徴とする請求項３記載の袋体。
【請求項６】
袋体において、
内面に強シール層を有し、互いに重ね合わされた一対の基材フィルムと、
前記一対の基材フィルム間に介在され、一方の面に弱シール層を有し、他方の面に強シール層を有し、前記袋体内に区画室を形成する易剥離性フィルムとを備え、
前記易剥離性フィルムはＶ字状に折畳まれて山折り線を形成する袋体と、
前記袋体内に収納された内容物とを含むことを特徴とする包装体。
【発明の詳細な説明】
【技術分野】
【０００１】
本発明は、プラスチックフィルムにヒートシールを施して形成した袋体であって、かつ、当該袋体に設けた弱シール部を剥離させることによって、袋体内で内容物を移動させるため、確実に弱シール部を剥離させることができる袋体および包装体に関する。
【背景技術】
【０００２】
従来、ヒートシール性を有するフィルムの周縁端部にヒートシールを施して形成した袋体内に、内容物を収納してなる包装体を流通させることが広く行われており、内容物保存性の向上に寄与している。内容物を取り出す際は、袋体端部を鋏で切り取ったり、袋体の周縁ヒートシール部に設けられたノッチを起点として手で袋体を引き裂いたりするのが一般的である。
【０００３】
また、同一ヒートシール面同士のヒートシール部が弱シール性を示す、いわゆる面々易剥離性フィルムを用いた積層フィルムで袋体を形成し、袋体内部に仕切りシール部を設けて２室の袋体と成し、それぞれの収納室に別個の物質を充填して包装体を開封する前に仕切りシール部を開放して複数の物質を混合する袋体に関する考案も数多くある。例えば、袋体を構成する積層体は、外側から内側に向かって、基材層と、易剥離性層とを有する。そして周辺部を熱融着（ヒートシール）により密封し、更に区画シール部を設けて袋体内が粉体を収納する室と、液体を収納する室とに区画されている。また前述した区分シール部は、剥離容易なシール形状であり、区分シール部を剥離することにより粉体と液体とが混合される（特許文献１参照）。
【０００４】
しかしながら、易剥離性フィルムを用いた積層フィルムのみからなる袋体は、仕切りシール部のみならず、周縁シール部も全て剥離が容易な弱シール部になってしまうため、輸送中に周縁シール部が剥離して内容物が漏洩する危険性が常に存在する。このような問題は周縁シール部のヒートシール温度や圧力を区画シール部のヒートシール温度や圧力を高めることによって、多少のヒートシール強度差を設けることはできるが完全ではなく、また、内容物が充填されている部分の袋体を握って区画シール部を開通させようとすると、周縁シール部が開通しやすいという不具合を有する。
【０００５】
このような問題を回避するため、周縁シール部が全て弱シール部にならないように、強シール性フィルム間の区画シール部を含む領域に、弱シール層を有するフィルム又は単層の易剥離フィルム単体を介在させることにより形成した包装袋の考案がなされている（特許文献２参照）。
【０００６】
この考案は、易剥離性フィルムを用いた積層フィルムのみからなる袋体と比較すれば、より破袋し難いという点で優れている。しかしながら、易剥離性フィルムを用いた積層フィルムのみからなる袋体と同じく、区画シール部を開通させた後、一方の区画室の内容物をもう他方の区画室に移動させて混合しようとすると、開通した仕切りシール部から内容物が逆流してしまい、混合し難いという問題がある。また、単層の易剥離性フィルムを介在させる場合、単層の易剥離性フィルムは市販されている種類が少なく、組み合わせて使用する強シール性フィルムの種類も限定されてしまい、かつ、１枚の薄いフィルムのため強度が低く、区画シール部のシールエッジでフィルムが切れやすいという問題がある。また、共押出しの易剥離性フィルムの場合は多くの種類のフィルムが市販されており、色々な用途に用いることができるが、必然的に片面が易剥離性で残りの片面が強シール性のフィルムを選定する必要がある。このため実際に一方の区画室に圧力を加えて使用する際に、易剥離面に応力が加わらず、強シール面に応力が加えられてしまうと、剥離が困難になり、最悪の場合、挿入した易剥離性フィルムが切れて連通させられないという問題がある。
【先行技術文献】
【特許文献】
【０００７】
【特許文献１】特開２００５−２３１６９１号公報
【特許文献２】特開２００４−４２９５１号公報
【発明の概要】
【発明が解決しようとする課題】
【０００８】
本発明は前記の問題点を考慮してなされたものであり、易剥離性フィルム選定の自由度が高いにも係らず確実に弱シール面を剥離させることができ、連通後の内容物の逆流を抑制でき、かつ、衛生上優れた袋体であって、当該袋体を用いることによって、容易に、かつ、確実に内容物を排出、又は移動させることができる袋体および包装体を提供すること。
【課題を解決するための手段】
【０００９】
本発明は、袋体において、内面に強シール層を有し、互いに重ね合わされた一対の基材フィルムと、前記一対の基材フィルム間に介在され、一方の面に弱シール層を有し、他方の面に強シール層を有し、前記袋体内に区画室を形成する易剥離性フィルムとを備え、前記易剥離性フィルムはＶ字状に折畳まれて山折り線を形成する。前記一対の基材フィルム間に介在されることを特徴とする袋体である。
【００１０】
本発明は、前記Ｖ字状に折畳まれた易剥離性フィルムは外面の弱シール層と、内面側の強シール層とを有することを特徴とする袋体である。
【００１１】
本発明は、前記易剥離性フィルムは前記袋体内に加圧室と非加圧室を形成し、前記易剥離性フィルムの前記山折り線は前記加圧室側を向くことを特徴とする袋体である。
【００１２】
本発明は、前記Ｖ字状に折畳まれた易剥離性フィルムは内面側の弱シール層と、外面側の強シール層とを有することを特徴とする袋体である。
【００１３】
本発明は、前記易剥離性フィルムは前記袋体内に加圧室と非加圧室を形成し、前記易剥離性フィルムの前記山折り線は前記加圧室側を向き、かつ前記加圧室内の前記易剥離性フィルムに開孔が形成されていることを特徴とする袋体である。
【００１４】
本発明は、袋体において、内面に強シール層を有し、互いに重ね合わされた一対の基材フィルムと、前記一対の基材フィルム間に介在され、一方の面に弱シール層を有し、他方の面に強シール層を有し、前記袋体内に区画室を形成する易剥離性フィルムとを備え、前記易剥離性フィルムはＶ字状に折畳まれて山折り線を形成する袋体と、前記袋体内に収納された内容物とを含むことを特徴とする包装体である。
【発明の効果】
【００１５】
本発明によれば、袋体内で内容物を移動させるため、確実に弱シール部を剥離させることができ、かつ内容物の逆流を防止することができる。
【００１６】
また本発明に係る袋体は、弱シール面が外側になるようにＶ字状に折畳まれて挿入され、Ｖ字状に折畳まれた山折り線が加圧側に位置する場合には、基材フィルムと易剥離性フィルムとのヒートシール面が必ず弱シール面となるため、包装体の使用時に加圧室に圧力を加えたときに、確実に、かつ、容易に弱シール面を剥離させることができる。
【００１７】
また、本発明に係る袋体は、挿入した易剥離性フィルムの一方の面が互いにヒートシールした面が弱シール性を示す面々易剥離性を示し、かつ、前記面々易剥離面が内側になるように略Ｖ字状に折り曲げられて略Ｖ字状に折り畳まれた山折り線が非加圧室側に位置するように挿入される場合には、非加圧室内の部分に切込み、穿孔等によって内容物の通路が設けられているので、包装体の使用時に加圧室に圧力を加えたときに、確実に弱ヒートシール部が剥離すると共に、加圧室から追い出した内容物が加圧室に逆流し難い。
【００１８】
また、本発明に係る袋体に用いる易剥離性フィルムとして、表裏のヒートシール性が異なる、共押しの易剥離性フィルムを用いることができるので、積層フィルムとのヒートシール性を考慮しさえすればどのような市販の易剥離性フィルムを使用しても前記の効果を発揮することができる。このため、包装体に求められる耐熱性、剥離強度などの物性に合わせた易剥離性フィルムの選定が可能であり、単層の易剥離性フィルムしか用いることができない袋体と比較して、袋体の設計の自由度が非常に高い。
【００１９】
また、本発明に係る袋体は、挿入する易剥離性フィルムが単体のフィルムであっても、２面存在する積層フィルムとのシール面が必ず同一材質面となるので、易剥離性フィルムを平らな状態で挿入する場合に弱シール面の反対面が積層フィルムに対するヒートシール性が無くて製造することができなかった袋体を得ることができる。例えば、積層フィルム内面がヒートシール性ＰＥＴの場合、片面がポリエチレン、もう一方の面がヒートシール性ＰＥＴからなるヒートシール性ＰＥＴ用易剥離性フィルムを本発明では用いることができるが、平らな状態で挿入する従来の技術ではポリエチレン面と積層フィルムのヒートシール性ＰＥＴ面とがヒートシールできず、袋を密封することができない。
【００２０】
また、本発明に係る袋体は、挿入する易剥離性フィルムが積層フィルムであっても、挿入した易剥離性フィルムが接する少なくとも１室に積層フィルムの端面を露出させないようにすることができるので衛生的に優れる。また、流通している間に貼り合わせ面が剥離してしまう可能性を低くすることができるので物性面でも優れている。
【００２１】
また、本発明は、袋体の設計者の意図を反映した袋体を得ることができるため、製造が容易で、流通時の問題が少なく、使用者にとって便利な包装体を得ることができる。
【００２２】
また、本発明に係る袋体は、挿入する帯状易剥離性フィルムが単体のフィルムであっても、２枚重ねられた状態で仕切りシール部が設けられるため、従来の易剥離性フィルム１枚のみで仕切りシール部を設けた場合より強度面で優れており、仕切りシール部のシールエッジでフィルムが切れ難い。
【図面の簡単な説明】
【００２３】
【図１】図１は本実施の形態による袋体を例示する概略平面図。
【図２】図２（ａ）は図１のＸ−Ｘ´における断面の説明図であって、Ｖ字状に折畳まれた易剥離性フィルムの山折り線が加圧室側を向く場合の断面図、図２（ｂ）はＶ字型に折畳まれた帯状易剥離性フィルムの山折り線が非加圧室側を向く場合の断面図。
【図３】図３（ａ）は図２（ａ）の拡大図であり、図３（ｂ）は図２（ｂ）の拡大図。
【図４】図４（ａ）はＶ字状に折畳まれた易剥離性フィルムに設けたミシン目状の内容物の通路の一例を示す図であって、図４（ｂ）は円形の内容物の通路の一例を示す図。
【図５】図５（ａ）（ｂ）は袋体の変形例を示す概略平面図。
【図６】図６は本発明に係る包装体を例示する概略平面図である。
【発明を実施するための形態】
【００２４】
＜本発明の実施の形態＞
次に、発明の実施の形態について、詳述する。
【００２５】
以下の説明において弱シール性とは、ヒートシール部を剥離させた際に凝集剥離、界面剥離、層間剥離等が安定的に発生する、ヒートシール部を人間が手で容易に剥離させることができるヒートシール強度を示すヒートシール性のことを言い、強シール性とはヒートシール部を人間が手で容易に剥離させることができないヒートシール強度を示すヒートシール性、及び、ヒートシール部を人間が手で容易に剥離させることができるヒートシール強度であっても、剥離時にヒートシール性層が破断してしまうヒートシール性のことを言うものとする。
【００２６】
次に図１乃至図３（ａ）（ｂ）により本発明による袋体の実施の形態について述べる。
【００２７】
図１乃至図３（ａ）（ｂ）に示すように、袋体１は内面に強シール層８ａを有し互いに重ね合わされた複数の層からなる一対の基材フィルム（積層フィルム）８、８と、基材フィルム８、８間に介在され、一方の面に形成された弱シール層９ａと他方の面に形成された強シール９ｂとを有する易剥離性フィルム９とを備えている。ここで、易剥離性フィルムとは、一方の面に弱シール層を有し、他方の面に強シール層、又は弱シール層を有する、単層、又は多層の単体フィルムのことを言う。
【００２８】
易剥離性フィルム９は袋体１の一方の縁部から他方の縁部まで帯状に延びている。易剥離性フィルム９はその両端部にヒートシールにより形成された一対の第１周縁シール部５、５を有するとともに、袋体１内にヒートシールにより形成され、袋体１内を加圧室２０と非加圧室２１に区画する区画シール部３を有する。また一対の基材フィルム８、８は袋体１の周縁部に、ヒートシールにより形成された第２周縁シール部６、６を有する。
【００２９】
また袋体１の上端および下端には、開口１１、１１が形成されている。
【００３０】
図１において、区画シール部３は山形状に形成され、袋体１内を加圧室２０と非加圧室２１とを互いに密封状態で区画する。
【００３１】
また図１において、一対の基材フィルム８，８間に介在される易剥離性フィルム９はＶ字状に折畳まれて一対の基材フィルム８，８間に挿入される。この場合、Ｖ字状に折畳まれた易剥離性フィルム９を有する袋体１は折畳まれることなく一対の基材フィルム８，８内に挿入される易剥離性フィルム９を有する袋体１と外観上差異はない。なお、区画シール部３は、山形状をもつが、区画シール部３は複数の山形をもっていてもよく、波型、直線型等、色々なシール形状をもっていてもよい。
【００３２】
袋体１は、上述のように加圧室２０と非加圧室２１を有し、加圧室２０に圧力を加えたときに区画シール部３を剥離させやすくするため、加圧室２０内に、流動性を有する液体を収納する。このとき区画シール部３の突出部は加圧室２０側を向く。そして使用時は加圧室２０を押さえつける等加圧室２０の圧力を上昇させる。このとき加圧室２０側の区画シール部３近傍を膨らませることによって、区画シール部３の両側の一対の基材フィルム８が押し広げられて区画シール部が剥離し、加圧室２０内の内容物が非加圧室２１内に流れ込んで、加圧室２０内の内容物と非加圧室２１内の内容物が混合される。
【００３３】
尚、特に図示しないが、区画室が３室以上連なって設けられている袋体１でも、隣り合う区画室同士を、区画シール部３により同様にして仕切ることができる。
【００３４】
次に図２（ａ）（ｂ）により、一対の基材フィルム８，８間に介在される易剥離性フィルム９の構造を説明する。
【００３５】
ここで、図２（ａ）は、図１のＸ−Ｘ´における、Ｖ字状に折畳んだ帯状易剥離性フィルム９の山折り線９Ａが加圧室２０側に位置する場合の袋体断面の説明図であり、図２（ｂ）は図１のＸ−Ｘ´における、Ｖ字状に折畳んだ帯状易剥離性フィルム９の山折り線９Ａが非加圧室２１側に位置する場合の袋体断面の説明図である。図２（ａ）（ｂ）に示す帯状易剥離性フィルム９は従来の、帯状易剥離性フィルムを折り曲げずに平面状のまま連続的に挿入した袋体の断面とは、挿入した帯状易剥離性フィルムが、二重になっている点で異なっている。
【００３６】
また図３（ａ）は図２（ａ）の拡大図である。図３（ａ）に示すように、易剥離性フィルム９はその弱シール層９ａが外面を向き、その強シール層９が内面を向く、そして易剥離性フィルム９の弱シール層９ａ、９ａと基材フィルム８の強シール層８ａとにより弱シール部３０が形成され、易剥離性フィルム９の強シール層９ａ、９ａにより強シール部４０が形成される。加圧室２０が加圧されると、弱シール部３０を拡げる作用が発生し、２箇所の弱シール部３０の内いずれかが剥離し、加圧室２０と非加圧室２１が連通する。
【００３７】
この時、Ｖ字状に折畳まれた帯状易剥離性フィルムの内面同士のヒートシール部４０が弱シール部となる場合、Ｖ字状に折畳まれた帯状易剥離性フィルム９の外面と基材フィルム８とのヒートシール部３０の一つが剥離する前に剥離してしまうことも考えられる。この場合、Ｖ字状に折畳まれた帯状易剥離性フィルム９の外面と基材フィルム８とのヒートシール部３０を広げようとする作用が弱まってしまうので、Ｖ字状に折畳まれた帯状易剥離性フィルム９の内面同士により強シール部４０を形成する。一般的に単体の易剥離性フィルム９の弱シール層９ａの反対面同士のヒートシール性は強シール性を示すので問題無いが、敢えて複数のフィルムを貼り合わせた帯状易剥離性フィルムを用いる場合は、前もって試作品等で検証すると良い。
【００３８】
次に易剥離性フィルム９の他の構成を図３（ｂ）により説明する。
【００３９】
図３（ｂ）は図２（ｂ）の拡大図である。図３（ｂ）に示すように、Ｖ字状に折畳まれた帯状易剥離性フィルム９の内面同士の弱シール層９ａが弱シール部３０を形成する。図３（ｂ）において、加圧室２０内の内容物に圧力が加えられると、前記弱シール部３０を広げる作用が発生する。このとき弱シール部４０が剥離し、後述のように、帯状易剥離性フィルム９の山折り線９Ａに形成された切込み、穿孔等からなる内容物の通路４を通って加圧室２０内の内容物が非加圧室２１内へ移動する。
【００４０】
特に図示しないが、Ｖ字状に折畳まれた帯状易剥離性フィルム９の外面と基材フィルム８とのヒートシール部が弱シール部であって、かつ加圧室２０内の内容物に圧力を加えても、略Ｖ字状に折畳まれた帯状易剥離性フィルム９の外面と基材フィルム８とのヒートシール部を広げようとする作用は働き難いので、特に問題無い。
【００４１】
また、万一Ｖ字状に折畳まれた帯状易剥離性フィルム９の外面と基材フィルム８との強シール部４０が剥離しても加圧室２０と非加圧室２１とが連通するという現象に変わりはないが、Ｖ字状に折畳まれた帯状易剥離性フィルム９の外面と基材フィルム８とのヒートシール部４０が剥離しないようにしたい場合には、基材フィルム８とのシール部が剥離しないような強シール部４０となるように、帯状易剥離性フィルムを選定すればよい。一般的に単体で複層の易剥離性フィルム９の弱シール層９ａの反対面は易剥離性を示さない強シール層９ｂをもつため、容易に易剥離性フィルム９を選定することができる。
【００４２】
上述のように、Ｖ字状に折畳まれた帯状易剥離性フィルム９の山折り線９Ａが非加圧室２１側に位置する場合（図３（ｂ））、区画シール部３に切込み、穿孔等によって内容物の通路４が設けられていないと、区画シール部３が剥離しても内容物が加圧室２０から非加圧室２１側へ移動することができない。
【００４３】
本実施の形態においては、区画シール部３を形成する易剥離性フィルム９の山折り線９Ａに、切込み、穿孔等によって形成された通路４が設けられている。このような通路４を図４（ａ）（ｂ）に示す。特に図示しないが、通路４は易剥離性フィルム９の非加圧室２１内に設ければよく、山折り線９Ａに設けなくてもよい。
【００４４】
ここで図４（ａ）は、Ｖ字状に折畳まれた帯状易剥離性フィルムに設けた内容物の通路４を説明する概略図であって、ミシン目状の内容物の通路の一例を示す図であり、図４（ｂ）は円形の内容物の通路４の一例を示す図である。
【００４５】
図４（ａ）（ｂ）において、内容物が通り抜けるための切込みや穿孔からなる通路４の大きさは、内容物の粘度、固形物含有の有無等を考慮して設計する必要があり、特定することはできない。切込みや穿孔が小さければ非加圧室２１内の内容物が加圧室２０内に、より逆流し難くなるという効果がある。
【００４６】
また、通路４をミシン目のように部分的な切込みから形成してもよく（図４（ａ））、帯状易剥離性フィルム９の山折り線９Ａに沿って帯状易剥離性フィルム９を袋体１の全幅に亘って切り開いても良く、結果的に２枚の帯状易剥離性フィルムを挿入した形になっても構わない。
【００４７】
実施の形態に係る袋体１が加圧室２０のみを有し、非加圧室２１を含まなくても、加圧室２０と非加圧室２１とを有する袋体１と同様に、Ｖ字状に折畳まれた帯状易剥離性フィルム９を利用することができる。
【００４８】
図５（ａ）（ｂ）は袋体１が加圧室２０のみをもち、Ｖ字状に折畳まれた帯状易剥離性フィルムが袋体１の端部に位置する例を示した図である。図５（ａ）において、Ｖ字状に折畳まれた帯状易剥離性フィルム９の山折り線９Ａが加圧室２０の側に位置する場合は、易剥離性フィルム９は図３（ａ）と同様の構造をもつ。他方、帯状易剥離性フィルム９の山折り線９Ａが加圧室２０と反対側に位置する場合は、易剥離性フィルム９は図３（ｂ）と同様の構造をもつ。なお、袋体１の形成時の断裁工程において、当該山折り線９Ａが切り取られて、結果的に２枚の帯状易剥離性フィルムを挿入した形になる場合がある。この場合、帯状易剥離性フィルムに内容物の通路を設ける必要は無い。
【００４９】
図５（ｂ）は袋体１を手で握り、内容物を絞り出す絞り袋体１を示す。図５（ｂ）において、Ｖ字状に折畳まれた帯状易剥離性フィルム９の山折り線９Ａが加圧室２０の側に位置する場合は、易剥離性フィルム９に２箇所ある弱シール部３０、３０のうち、剥離が容易な弱シール部３０が優先的に剥離するため、安定的に、容易に内容物を絞り出すことができる。
【００５０】
次に各構成部材ついて詳述する。
【００５１】
（基材フィルム８、８）
本発明に係る袋体を形成する基材フィルム８、８は、少なくとも基材とヒートシール性フィルムを積層した積層フィルムからなり、必要に応じて基材と、ヒートシール性フィルムの間に中間層を設けても良い。
【００５２】
基材としては、一般的に食品用包装材料に用いられるポリエチレンテレフタレイト、ポリエチレンブイレイト、ポリアミド、ポリプロピレン、ポリエチレン等の、物理的強度や耐熱性に優れた二軸延伸フィルム、および、これらのフィルムに金属酸化物や金属を蒸着したり、酸素バリア性コーティングを施したり、易接着性層を設けたりしたフィルムを用いることができる。
【００５３】
ヒートシール性フィルムとしては、加熱により軟化し、圧力を加えることによって熱融着する、一般的なヒートシール性フィルムを用いることができ、ポリエチレン、ポリプロピレン、ポリエステル、ポリアクリロニトリル、環状オレフィンコポリマー、酸変性ポリオレフィン、エチレン・酢酸ビニル共重合体、アイオノマー等の未延伸フィルムがあり、用途に応じて使い分ければ良い。
【００５４】
中間層としては、前記の基材に用いるフィルムに加えて、金属箔、エチレン・ビニルアルコール共重合体、遮光性フィルム等を用途により単層、または、複層で用いることができる。
【００５５】
また、本発明に係る袋体１に用いる基材フィルム８、８におけるフィルムの積層方法は、特に限定する必要がなく、通常のフィルム積層方法である、ドライラミネーション、ノンソルラミネーション、溶融樹脂の押出しラミネーション等を用いることができる。
【００５６】
また、本発明に係る袋体１には文字や絵柄の印刷を施すことができ、通常は基材フィルムにグラビア印刷、フレキソ印刷等によって印刷する。
【００５７】
（易剥離性フィルム９）
本発明に係る袋体に用いる易剥離性フィルム９は、少なくとも一方の面に基材フィルムのヒートシール面に対して弱シール性をもつ弱シール層９ａが形成され、他方の面に基材フィルムのヒートシール面に対して弱シール性、または、強シール性をもつ強シール層９ｂが形成され、単層フィルム、共押出しフィルム、または、積層フィルムのフィルムからなる。
【００５８】
易剥離性フィルム９の弱シール層９ａの剥離方式には、凝集破壊、層間剥離、界面剥離があるが、いずれの方式でも構わない。
【００５９】
例えば、共押出し易剥離性フィルム９は多くのフィルムメーカーから多数市販されていて、基材フィルム８のヒートシール面がポリエチレンであれば、易剥離性フィルム９の一方の面はポリエチレンからなり、他方の面はポリエチレンに対して弱シール性を有する易剥離性フィルム９を用い、基材フィルム８のヒートシール面がポリプロピレンであれば、易剥離性フィルム９の一方の面はポリプロピレンからなり、他方の面がポリプロピレンに対して弱シール性を有する易剥離性フィルム９を用いれば、略Ｖ字型の折り曲げが左右均等にならず大幅にずれてしまっても密封可能な袋体を製造することができる。
【００６０】
（袋体１）
本発明に用いる袋体１の形態としては、平袋、スタンドパック、底ガゼット袋、ピロー袋等、当該袋の製袋機において、積層フィルムと同調させて帯状の易剥離性フィルムを連続的に供給できる製袋機で製造できる形態を利用できる。
【００６１】
また、帯状易剥離性フィルム９の供給装置が付属している包装充填機であれば、本発明に係る袋体を形成しつつ内容物を充填し、密封することができる。
【００６２】
（包装体）
図６は、本発明に係る包装体を例示する概略平面図であり、図１に示す袋体１に内容物Ｍ、Ｎを充填し、密封した例で、一般的に下側の加圧室２０には液体内容物Ｎが収納され、上側の非加圧室２１には粉体等の固体内容物Ｍが収納されている。
【実施例１】
【００６３】
次に、実施例及び比較例により本発明を更に詳述する。
【００６４】
（基材フィルムの製造）
厚み１２μｍの二軸延伸ポリエチレンテレフタレイトフィルム（製品名「Ｅ５１０２」、東洋紡績株式会社製）、厚み１５μｍの二軸延伸ポリアミドフィルム（製品名「Ｎ１２０２」、東洋紡績株式会社製）、厚み４０μｍの未延伸ポリエチレンフィルム（製品名「Ｌ４１０２」、東洋紡績株式会社製）をこの順番に２液硬化型ウレタン系接着剤を用いて貼り合わせ、基材フィルムを得た。
【００６５】
（袋体の製造）
前記の基材フィルムを自立袋の製造が可能な平袋用製袋機にセットし、また、幅６０ｍｍにスリットした厚み３０μｍの帯状易剥離性フィルム（製品名「７６０１ＥＤ」、東レフィルム加工株式会社製）を自立袋の底材供給部にセットした。次に半裁して強シール層８ａ、８ａ同士を向かい合わせた２枚の基材フィルム８、８間のほぼ中央に、弱シール層９ａが外側になるようにＶ字状に折畳んだ帯状易剥離性フィルム９を挿入した。次に当該帯状易剥離性フィルム９の中央に幅５ｍｍの縦シールを施して区画シール部３を設けた後、１２０ｍｍ間隔で幅２０ｍｍの横シール部を設けてから、化粧裁ちを施して横方向長さを２８０ｍｍとし、横シール部中央で断裁して幅１０ｍｍの第１周縁シール部５および第２周縁シール部６を形成した。このようにして、幅１２０ｍｍ、長さ２８０ｍｍの、加圧室２０と非加圧室２１とからなる２つの収納室を有する図２（ａ）および図３（ａ）に示す袋体Ａを得た。袋体１のＶ字状に折畳まれた帯状易剥離性フィルムは袋体のほぼ中央に位置し、区画シール部３に相当する縦シール部も袋体のほぼ中央に設けられている。
【００６６】
尚、易剥離性フィルム９はポリエチレンに対して易剥離性を示す共押出しフィルムであり、弱シール面の反対面はポリエチレン面となっている。すなわち区画シール部３において、帯状易剥離性フィルム９と基材フィルム８とのヒートシール部は弱シール部３０となり、帯状易剥離性フィルム９の内面同士のヒートシール部は強シール部４０となっている。
【実施例２】
【００６７】
（袋体の製造）
実施例１で用いたのと同じ製袋機、基材フィルム８、８、帯状易剥離性フィルム９を使用したが、帯状易剥離性フィルム９を、弱シール層９ａが内側になるようにＶ字状に折畳み、山折り線９Ａに１２０ｍｍ間隔で直径６ｍｍの半円形の孔開けを施して通路４を形成し、通路４が横シール間中央に位置するように横シールを施した。このようにして幅１２０ｍｍ、長さ２８０ｍｍ、第１周縁シール部５および第２周縁シール部６の幅１０ｍｍの、加圧室２０と非加圧室２１とからなる２つの収納室を有する図２（ａ）および図３（ａ）に示す袋体Ｂを得た。袋体１のＶ字状に折畳まれた帯状易剥離性フィルム９は袋体のほぼ中央に位置し、区画シール部３に相当する縦シール部も袋体のほぼ中央に設けられている。
【００６８】
尚、易剥離性フィルム９はポリエチレンに対して易剥離性を示す共押出しフィルムであるが、面々易剥離性フィルムの性能も有している。弱シール面の反対面はポリエチレン面となっているため、区画シール部３において、帯状易剥離性フィルム９と基材フィルムとのヒートシール部は強シール部４０となっており、帯状易剥離性フィルムの内面同士のヒートシール部は弱シール部３０となっている。
【比較例】
【００６９】
（袋体の製造）
実施例１で用いたのと同じ製袋機、基材フィルムを使用したが、帯状易剥離性フィルム９の幅を３０ｍｍとして、略Ｖ字状に二つ折りすることなく基材フィルム８，８間に挿入した点のみ異なる袋体を作製した。次に横シールを施し、幅１２０ｍｍ、長さ２８０ｍｍ、側部シール幅１０ｍｍの、加圧室と非加圧室２１とからなる２つの収納室を有する比較例の袋体Ｃを得た。袋体Ｃに挿入された帯状易剥離性フィルム９は袋体１のほぼ中央に位置し、区画シール部に相当する縦シール部も袋体のほぼ中央に設けられている。
【００７０】
尚、前記易剥離性フィルム９はポリエチレンに対して易剥離性を示す共押出しフィルムであるが、弱シール面の反対面はポリエチレン面となっているため、区画シール部において、帯状易剥離性フィルムと基材フィルムとのヒートシール部は一方が強シール部、他方が弱シール部となっている。
【００７１】
（包装体の製造）
前記２つの収納室を有する袋体Ａ、袋体Ｂ、及び比較例の袋体Ｃについて、非加圧室２１に小麦粉１００ｇを充填して開口部にヒートシールを施して密封し、加圧室に水１２０ｍｌを充填して開口部にヒートシールを施して密封した。この場合、本発明に係る包装体Ａ及び包装体Ｂの２種類と、比較例の包装体Ｃをそれぞれ１０袋ずつ製造した。
【００７２】
尚、包装体Ａについては、Ｖ字状に折畳まれた帯状易剥離性フィルム９の山折り線９Ａ側の加圧室２０に水を充填した。包装体Ｂについては、Ｖ字状に折畳まれた帯状易剥離性フィルム９の山折り線９Ａ側の非加圧室２１内に小麦粉を充填した。比較例の袋体Ｃの加圧室と非加圧室２１は同一旺盛をもつため、水が充填される側が加圧室となり、小麦粉が充填される側が非加圧室となる。
【００７３】
（区画シール部開放試験）
前記包装体Ａ、Ｂ、Ｃのうち水を充填した加圧室２０を片手で握り、区画シール部３を剥離させて水と小麦粉を混合する試験を実施した。
【００７４】
その結果、包装体Ａ及び包装体Ｂは１０袋全てで、区画シール部３を容易に剥離させることができ、水と小麦粉の混合も容易に実施できた。
【００７５】
その際、包装体Ａについては、区画シール部３が部分的に剥離した後、袋体の胴部両面を指で摘んで引っ張って、第１周縁シール部５を残して区画シール部３を全幅に亘って剥離させた後、袋体１の上下端を片方ずつの手で保持して左右に振って内容物を混合した。
【００７６】
また、包装体Ｂについては、区画シール部３が部分的に剥離した後、小麦粉を充填した非加圧室２１に加圧室２０内の水を移動させ、非加圧室で水と小麦粉を混合させる。次に、袋体の胴部両面を指で摘んで引っ張って、第１周縁シール部５を残して区画シール部３を全幅に亘って剥離させ、袋体の上下端を片方ずつの手で保持して左右に振って内容物を完全に混合した。このため、包装体Ａより内容物の混合が容易だった。
【００７７】
他方、比較例の包装体Ｃについては、水を充填した加圧室を片手で握った時に易剥離性フィルムの余剰部が袋体の周縁シール部側にくっつき、加圧室２０内の圧力が周縁シール部を剥離させようとする力として働いた。このため、比較例の包装体Ｃでは区画シール部３が剥離することなく、周縁シール部の易剥離性フィルム挿入部分が剥離し、水が飛び散ってしまう事態が１０袋中６袋で発生してしまった。
【００７８】
この結果から、本発明に係る包装体は、従来の包装体と比較して安定的に内容物開放用弱シール部を剥離させることができることが明らかとなった。
【符号の説明】
【００７９】
１    袋体
３    区画シール部
４    通路
５    第１周縁シール部
６    第２周縁シール部
８    基材フィルム
９    易剥離性フィルム
９Ａ  山折り線
９ａ  弱シール層
９ｂ  強シール層
１１    開口
１２    包装体
２０    加圧室
３０    弱シール部
４０    強シール部
Ｍ    固体内容物
Ｎ    液体内容物
【図１】
2018154379.tif 000003
【図２】
2018154379.tif 000004
【図３】
2018154379.tif 000005
【図４】
2018154379.tif 000006
【図５】
2018154379.tif 000007
【図６】
2018154379.tif 000008